(57)【要約】      （修正有）【課題】曲面を有する位牌に戒名が描かれることにより、位牌に量感を持たせて故人をしのぶのにふさわしいようなあたたかみのある形状を呈し、かつ、芸術性、美観を追及した位牌の提供。【解決手段】札板部の正面１ａと背面に凸面が形成され、正面および背面の凸面が左右方向に湾曲すると共に底面に対して垂直であり、側面１ｅに平面が形成されると共に底面に対して垂直であることを特徴とする。【選択図】図１（ａ）
0003135950.tif 000002
【実用新案登録請求の範囲】
【請求項１】
正面、背面、底面、上面、左側面、右側面からなる位牌の札板であって、
該札板部の正面と背面に凸面が形成され、
該正面および背面の凸面が左右方向に湾曲すると共に底面に対して垂直であり、
前記左側面および右側面に平面が形成されると共に底面に対して垂直であることを特徴とする位牌の札板。
【請求項２】
前記札板部の上面に左右方向に湾曲する凸面が形成されてなる請求項１記載の位牌の札板。
【請求項３】
正面、背面、底面、上面、左側面、右側面からなる位牌の札板であって、
札板部の正面と背面に凸面が形成され、
該正面および背面の凸面が左右方向に湾曲すると共に底面に対して垂直であり、
前記左側面および右側面に左右方向に湾曲する凸面が形成されると共に底面に対して垂直であることを特徴とする位牌の札板。
【請求項４】
前記札板部の上面に左右方向に湾曲する凸面が形成されてなる請求項３記載の位牌の札板。
【請求項５】
上面、底面、側面からなる楕円柱状の位牌の札板であって、上面および底面が楕円形状を呈し、側面が底面に対して垂直であることを特徴とする位牌の札板。
【請求項６】
前記札板部の上面に左右方向に湾曲する凸面が形成されてなる請求項５記載の位牌の札板。
【請求項７】
前記札板部のそれぞれの面の境界に面取りが施され、該面取りの曲率半径Ｒ＝０．１〜７．０ｍｍであることを特徴とする請求項１〜６記載の位牌の札板。
【考案の詳細な説明】
【技術分野】
【０００１】
本考案は位牌の札板に関する。さらに詳しくは、札板部の正面と背面に凸面が形成されてなる位牌の札板に関する。
【背景技術】
【０００２】
古来より日本では、位牌とは故人そのものであり、死者のよりしろと考えられてきた。
【０００３】
また、表面の仕上げには、通常、かんなを使用するため、表面を曲面状に加工することが困難であり、また、特許文献１に示すように、機械で位牌の戒名を彫刻することが行われているが、表面が曲面である場合、戒名の文字の太さや彫刻の深さを精度よく出すことができないため、平坦にせざるを得ず、従来、位牌１０の札板の形状は図５の（ａ）および（ｂ）に示すように扁平な平板状になっている。従来の札板１は、扁平な四角柱状を呈し、戒名が描かれる正面１ａ、正面１ａと対向する面である背面１ｂ、台座Ｂに接続される底面１ｃ、底面１ｃと対向する面である上面１ｄ、正面１ａに隣接する底面１ｃと上面１ｄ以外の面である左側面１ｅおよび右側面１ｆは全て平面である。そして札板１は、装飾効果を高めることに加え、位牌１０を安定させるために底面１ｃには図５の（ａ）および（ｂ）に想像線で示されるように台座Ｂが接続される。上面１ｄには装飾効果を高めるために、図５の（ａ）および（ｂ）に想像線で示されるように頭部Ｈが接続される。
【０００４】
一方、遺族にとっては、従来のような画一化された扁平な平板状の位牌ではなく、量感を持たせた、故人をしのぶのにふさわしいようなあたたかみのある形状の位牌が求められている。
【０００５】
【特許文献１】特許第２０８５８５２号公報
【考案の開示】
【考案が解決しようとする課題】
【０００６】
近年、加工技術の進歩により、レーザーなどにより戒名を刻設することができるようになった。
【０００７】
本考案者は、上記のような公知の加工技術を用いて、従来手作業では困難であった、曲面状に加工された位牌の札板の表面上に戒名を描くことができることを発見し、位牌の札板は扁平な平板状であるという従来の既成の概念を打ち破り、曲面を有する位牌に戒名が描かれることにより、位牌に量感を持たせて故人をしのぶのにふさわしいようなあたたかみのある形状を呈し、かつ、芸術性、美観を追及した位牌の提供を目的としている。
【課題を解決するための手段】
【０００８】
本考案の位牌の札板の第一の実施形態は、札板部の正面と背面に凸面が形成され、該正面および背面の凸面が左右方向に湾曲すると共に底面に対して垂直であり、側面に平面が形成されると共に底面に対して垂直であることを特徴とする。
【０００９】
また、前記札板部の上面に左右方向に湾曲する凸面が形成されてなることが好ましい。
【００１０】
また、前記札板部のそれぞれの面の境界に面取りが施され、該面取りの曲率半径が０．１〜７．０ｍｍであることが好ましい。
【００１１】
本考案の位牌の札板の第二の実施形態は、札板部の正面と背面に凸面が形成され、該正面および背面の凸面が左右方向に湾曲すると共に底面に対して垂直であり、側面に凸面が形成されると共に底面に対して垂直であることを特徴とする。
【００１２】
また、前記札板部の上面に左右方向に湾曲する凸面が形成されてなることが好ましい。
【００１３】
また、前記札板部のそれぞれの面の境界に面取りが施され、該面取りの曲率半径が０．１〜７．０ｍｍであることが好ましい。
【００１４】
本考案の位牌の札板の第三の実施形態は、上面、底面、側面からなる楕円柱状の位牌の札板であって、上面および底面が楕円形状を呈し、側面が底面に対して垂直であることを特徴とする。
【００１５】
また、前記札板部の上面に左右方向に湾曲する凸面が形成されてなることが好ましい。
【００１６】
また、前記札板部のそれぞれの面の境界に面取りが施され、該面取りの曲率半径が０．１〜７．０ｍｍであることが好ましい。
【考案の効果】
【００１７】
本考案によれば、従来の扁平な四角柱状を呈し、正面および背面が平面である札板と異なり、札板部の正面と背面に凸面が形成され、該正面および背面の凸面が左右方向に湾曲すると共に底面に対して垂直であり、側面に平面が形成されると共に底面に対して垂直であることを特徴とする位牌の提供をすることができる。
【００１８】
また、本考案によれば、従来の扁平な四角柱状を呈し、正面、背面および側面が平面である札板と異なり、札板部の正面と背面に凸面が形成され、該正面および背面の凸面が左右方向に湾曲すると共に底面に対して垂直であり、側面に左右方向に湾曲する凸面が形成されると共に底面に対して垂直であることを特徴とする位牌の提供をすることができる。
【００１９】
また、本考案によれば、従来の扁平な四角柱状を呈し、正面および背面が平面である札板と異なり、上面、底面、側面からなる楕円柱状の位牌の札板であって、上面および底面が楕円形状を呈し、側面が底面に対して垂直であることを特徴とする位牌の提供をすることができる。
【００２０】
また、位牌の札板が、従来の扁平な四角柱状を呈し、正面、背面および側面が平面である札板と異なり、曲面状を呈していることにより、遺族にとって、故人をしのぶのにふさわしいあたたかみのある位牌を提供することができる。
【００２１】
また、レーザー光線により塗面を彫る方法や、写真製版による塗装を用いて曲面上に戒名が描かれることにより、低コストで位牌の作製が可能であり、機械により短時間で作製でき、かつ、好みの字体を選択することができるという利点がある。
【００２２】
また、従来の平板状の札板と異なり、表面が曲面状であると、漆で仕上げた場合に、従来のような平板状の位牌に比べて、美観が向上するという効果もある。
【考案を実施するための最良の形態】
【００２３】
以下、添付図面を参照して本考案の位牌の札板を詳細に説明する。
【００２４】
図１（ａ）は本考案の位牌の札板の一実施の形態の斜視図であり、図１（ｂ）は本考案の位牌の札板の一実施の形態の正面図であり、図１（ｃ）は本考案の位牌の札板の一実施の形態の正面図であり、図１（ｄ）は本考案の位牌の札板の一実施の形態の横断面図である。図２（ａ）は本考案の位牌の札板の他の実施の形態の斜視図であり、図２（ｂ）は本考案の位牌の札板の他の実施の形態の正面図であり、図２（ｃ）は本考案の位牌の札板の他の実施の形態の正面図であり、図２（ｄ）は本考案の位牌の札板の他の実施の形態の横断面図である。図３（ａ）は本考案の位牌の札板の他の実施の形態の斜視図であり、図３（ｂ）は本考案の位牌の札板の他の実施の形態の正面図であり、図３（ｃ）は本考案の位牌の札板の他の実施の形態の正面図であり、図３（ｄ）は本考案の位牌の札板の他の実施の形態の横断面図である。図４（ａ）および（ｂ）は本考案の位牌の札板の他の実施の形態の断面図であり、図４（ｃ）は本考案の位牌の札板の他の実施の形態の正面図であり、図４（ｄ）は本考案の位牌の札板の他の実施の形態の側面図である。図５の（ａ）および（ｂ）は、従来の位牌の札板の形状を示す図である。
【００２５】
図１（ａ）は本考案の第一の実施の形態を示す図であり、従来の扁平な平板状の札板と異なり、札板１の正面１ａと背面１ｂに凸面が形成され、該正面１ａおよび背面１ｂの凸面が左右方向に湾曲すると共に底面１ｃに対して垂直であり、側面１ｅおよび側面１ｆに平面が形成されると共に底面１ｃに対して垂直に形成されている。図１（ａ）において上面１ｄは平面状に形成されている。図１（ａ）においては、それぞれの面の境界には、面取りが施されているが、本考案の位牌１０の札板１は、面取りを施すものに限られない。
【００２６】
このように、従来のそれぞれの面が平面である位牌１０の札板１と異なり、正面１ａおよび背面１ｂに凸面を設けることにより、遺族にとって、故人をしのぶのにふさわしいあたたかみのある位牌を提供することができる。
【００２７】
札板１の正面１ａには、戒名２が施されている。位牌１０の表面に描かれた戒名２は溝状でも構わないし、盛り上がり状でも構わない。溝状の戒名は、たとえばレーザー光線により彫刻することができる。また、レーザー光線により彫刻した部分に沈金をすることもできる（特開平６−３２１０４、特開２００３−３１１４６１参照）。また、写真製版による場合は凹凸のない戒名を描くことが可能となる。また、それらの戒名には金箔を蒔きつけるのが好ましい。
【００２８】
図１（ｂ）および図１（ｃ）は、位牌１０の札板１の正面図（戒名は省略している）であり、図１（ｂ）のように上面１ｄを平面にすることもできるし、図１（ｃ）のように上面１ｄを左右方向に湾曲する凸面にすることもできる。
【００２９】
図１（ｄ）は本考案の位牌１０の第一の実施の形態の札板１の断面を説明するための模式図であり、従来の平板状の札板と異なり、正面１ａおよび背面１ｂに左右方向に湾曲する凸面が形成されるので、図１（ｄ）に示すように、横断面では、正面１ａおよび背面１ｂに、円弧状のカーブが表れる。左側面１ｅ、右側面１ｆは平面であるので、切断した場合には、直線となる。ここでは、図１（ｄ）上のカーブは、円弧であっても構わないし、楕円の一部であっても構わないし、放物線の一部であっても構わない。また、それらを組み合せたものであってもよい。なお、図１（ｄ）の断面は、任意の箇所の横断面であり、説明の便宜上、１箇所の断面で説明をしているが、本考案の位牌１０の札板１は、戒名２の盛り上がりや溝等を除き、どの横断面も同様である。
【００３０】
さらに、あたたかみのある位牌を提供するために、札板１のそれぞれの面の境界には面取りが施されている。面取りは、円弧状に形成され、その曲率半径Ｒは、Ｒ＝０．１〜７．０ｍｍであることが好ましく、さらに好ましくは、Ｒ＝０．２〜５．０ｍｍである。図１（ｄ）では、正面１ａと両側面、背面１ｂと両側面の境界に面取りが設けられているが、底面１ｃや上面１ｄと隣接する面との境界にも同様に面取りが施される。
【００３１】
次に、図２（ａ）は本考案の位牌１０の札板１の第二の実施の形態を示す図であり、従来の扁平な平板状の札板と異なり、札板１の正面１ａと背面１ｂに凸面が形成され、該正面１ａおよび背面１ｂの凸面が左右方向に湾曲すると共に底面１ｃに対して垂直であり、左側面１ｅおよび右側面１ｆに凸面が形成されると共に底面１ｃに対して垂直であることを特徴とする。左側面１ｅおよび右側面１ｆを凸面とすることにより、一層柔らかみがあり、あたたかみのある位牌を提供することができる。図２（ａ）において上面１ｄは平面状である。札板１の正面１ａには、図２（ａ）においては、それぞれの面の境界には、面取りが施されているが、本考案の位牌１０の札板１は、面取りを施すものに限られない。
【００３２】
札板１の正面１ａには、戒名２が施されている。位牌１０の表面に描かれた戒名２は溝状でも構わないし、盛り上がり状でも構わない。溝状の戒名２は、たとえばレーザー光線により彫刻することができる。また、レーザー光線により彫刻した部分に沈金をすることもできる。また、写真製版による場合は凹凸のない戒名を描くことが可能となる。また、それらの戒名には金箔を蒔きつけるのが好ましい。
【００３３】
図２（ｂ）および図２（ｃ）は、位牌１０の札板１の正面図（戒名は省略している）であり、図２（ｂ）のように上面１ｄを平面にすることもできるし、図２（ｃ）のように上面１ｄを左右方向に湾曲する凸面にすることもできる。
【００３４】
図２（ｄ）は本考案の位牌１０の札板１の断面を説明するための模式図であり、従来の平板状の札板と異なり、正面１ａおよび背面１ｂに左右方向に湾曲する凸面が形成されるので、図２（ｄ）に示すように、横断面では、正面１ａおよび背面１ｂに、円弧状のカーブが表れる。また、側面１ｅ、１ｆに、円弧状のカーブが表れる。図２（ｄ）上のカーブは、円弧であっても構わないし、楕円の一部であっても構わないし、放物線の一部であっても構わない。また、それらを組み合せたものであってもよい。なお、図２（ｄ）の断面は、任意の箇所の横断面であり、説明の便宜上、１箇所の断面で説明をしているが、本考案の位牌１０の札板１は、戒名２の盛り上がりや溝等を除き、どの横断面も同様である。
【００３５】
さらに、あたたかみのある位牌を提供するために、札板１のそれぞれの面の境界には面取りが施されている。面取りは、曲率半径Ｒは、Ｒ＝０．１〜７．０ｍｍであることが好ましく、さらに好ましくは、Ｒ＝０．２〜５．０ｍｍである。図２（ｄ）では、正面１ａと両側面、背面１ｂと両側面の境界に面取りが設けられているが、底面１ｃや上面１ｄと隣接する面との境界にも同様に面取りが施される。
【００３６】
次に、図３（ａ）は本考案の位牌１０の札板１の第三の実施の形態を示す図であり、従来の扁平な平板状の札板と異なり、楕円柱状の位牌１０の札板１であって上面１ｄおよび底面１ｃが楕円形状を呈し、側面が底面１ｃに対して垂直であることを特徴とする。従来の位牌１０と異なり、楕円柱状を呈することにより、一層柔らかみがあり、あたたかみのある位牌を提供することができる。図３（ａ）において上面１ｄは平面状である。札板１の正面１ａには、図３（ａ）においては、それぞれの面の境界には、面取りが施されているが、本考案の位牌１０の札板１は、面取りを施すものに限られない。なお、楕円柱状の位牌１０の札板１において正面とは、上面１ｄから見て楕円の長径方向に２分割した場合の戒名２が描かれている面をいう。
【００３７】
札板１の正面１ａには、戒名２が施されている。位牌１０の表面に描かれた戒名２は溝状でも構わないし、盛り上がり状でも構わない。溝状の戒名２は、たとえばレーザー光線により彫刻することができる。また、レーザー光線により彫刻した部分に沈金をすることもできる。また、写真製版による場合は凹凸のない戒名を描くことが可能となる。また、それらの戒名には金箔を蒔きつけるのが好ましい。
【００３８】
図３（ｂ）および図３（ｃ）は、位牌１０の札板１の正面図（戒名は省略している）であり、図３（ｂ）のように上面１ｄを平面にすることもできるし、図３（ｃ）のように上面１ｄを左右方向に湾曲する凸面にすることもできる。
【００３９】
図３（ｄ）は本考案の位牌１０の札板１の断面を説明するための模式図であり、従来の平板状の札板と異なり、図３（ｄ）に示すように、横断面では、楕円形状を呈している。図３（ｄ）上の楕円の形状は、長径および短径を自由に変更することにより、位牌１０の札板１の形状を自由に設計することができる。なお、図３（ｄ）の断面は、任意の箇所の横断面であり、説明の便宜上、１箇所の断面で説明をしているが、本考案の位牌１０の札板１は、戒名２の盛り上がりや溝等を除き、どの横断面も同様である。
【００４０】
さらに、あたたかみのある位牌を提供するために、札板１のそれぞれの面の境界には面取りが施されている。面取りは、曲率半径Ｒは、Ｒ＝０．１〜７．０ｍｍであることが好ましく、さらに好ましくは、Ｒ＝０．２〜５．０ｍｍである。
【００４１】
本考案の位牌１０の札板１は、図４（ａ）、図４（ｂ）および図４（ｃ）に示されるように面取りを施さないようにすることもできる。また、面取りを一部に施し、一部に施さないようにしてもよい。たとえば、装飾効果を高めるために、台座Ｂや頭部Ｈと接続するときには、底面１ｃや上面１ｄと隣接する境界に面取りを施さないようにすることもできる。
【００４２】
さらに、図４（ｄ）に示すように、上面１ｄが、位牌１０の札板１の正面１ａから背面１ｂにかけて湾曲する凸面を設けることもできる。
【００４３】
図５の（ａ）および（ｂ）は、従来の位牌１０の形状を示す図であり、従来の四角柱状を呈した位牌１０である。本考案の位牌１０の札板１は、このように平板状の札板という既成の概念を打ち破り、曲面を有する位牌に戒名が描かれることにより、位牌に量感を持たせて故人をしのぶのにふさわしいようなあたたかみのある形状を呈し、かつ、芸術性、美観を追及している。
【００４４】
位牌１０の札板１の材質は、たとえば、木や合成樹脂が好適に採用されるが、クリスタルガラス、大理石や水晶のほか、白金、金、銀などの貴金属を採用することもできる。
【図面の簡単な説明】
【００４５】
【図１（ａ）】本考案の位牌の一実施の形態の斜視図である。
【図１（ｂ）】本考案の位牌の一実施の形態の正面図である。
【図１（ｃ）】本考案の位牌の一実施の形態の正面図である。
【図１（ｄ）】本考案の位牌の一実施の形態の横断面図である。
【図２（ａ）】本考案の位牌の他の実施の形態の斜視図である。
【図２（ｂ）】本考案の位牌の他の実施の形態の正面図である。
【図２（ｃ）】本考案の位牌の他の実施の形態の正面図である。
【図２（ｄ）】本考案の位牌の他の実施の形態の横断面図である。
【図３（ａ）】本考案の位牌の他の実施の形態の斜視図である。
【図３（ｂ）】本考案の位牌の他の実施の形態の正面図である。
【図３（ｃ）】本考案の位牌の他の実施の形態の正面図である。
【図３（ｄ）】本考案の位牌の他の実施の形態の横断面図である。
【図４（ａ）】本考案の位牌の他の実施の形態の断面図である。
【図４（ｂ）】本考案の位牌の他の実施の形態の断面図である。
【図４（ｃ）】本考案の位牌の他の実施の形態の正面図である。
【図４（ｄ）】本考案の位牌の他の実施の形態の側面図である。
【図５】（ａ）は従来の位牌の形状を示す正面図であり、（ｂ）は従来の位牌の形状を示す側面図である。
【符号の説明】
【００４６】
１    札板
１ａ  正面
１ｂ  背面
１ｃ  底面
１ｄ  上面
１ｅ  左側面
１ｆ  右側面
２    戒名
１０  位牌
Ｂ    台座
Ｈ    頭部
Ｒ    曲率半径
【図１（ａ）】
0003135950.tif 000003
【図１（ｂ）】
0003135950.tif 000004
【図１（ｃ）】
0003135950.tif 000005
【図１（ｄ）】
0003135950.tif 000006
【図２（ａ）】
0003135950.tif 000007
【図２（ｂ）】
0003135950.tif 000008
【図２（ｃ）】
0003135950.tif 000009
【図２（ｄ）】
0003135950.tif 000010
【図３（ａ）】
0003135950.tif 000011
【図３（ｂ）】
0003135950.tif 000012
【図３（ｃ）】
0003135950.tif 000013
【図３（ｄ）】
0003135950.tif 000014
【図４（ａ）】
0003135950.tif 000015
【図４（ｂ）】
0003135950.tif 000016
【図４（ｃ）】
0003135950.tif 000017
【図４（ｄ）】
0003135950.tif 000018
【図５】
0003135950.tif 000019